(57)【特許請求の範囲】
【請求項１】
コンテンツの表示態様の変化に応じて他のコンテンツをサーバ装置から取得する取得部と、
前記コンテンツの表示態様の変化が発生した時点から前記取得部によって取得された前記他のコンテンツが表示されるまでの間、前記他のコンテンツが表示される領域であって、前記コンテンツの表示態様の変化の度合いに応じて大きさが変動する領域に広告コンテンツを表示する表示部と、
を備えたことを特徴とする端末装置。
【請求項２】
前記表示部は、
前記取得部により取得した前記他のコンテンツを所定時間が経過した後に前記領域に表示する、
ことを特徴とする請求項１に記載の端末装置。
【請求項３】
前記表示部は、
前記領域に広告コンテンツを選択不可能な状態で表示する、
ことを特徴とする請求項１又は請求項２に記載の端末装置。
【請求項４】
前記表示部は、
前記領域に広告コンテンツを選択可能な状態で表示する、
ことを特徴とする請求項１又は請求項２に記載の端末装置。
【請求項５】
前記表示部は、
前記広告コンテンツを指定するユーザ操作が行われた場合、前記コンテンツの表示態様の変化を停止する、
ことを特徴とする請求項４に記載の端末装置。
【請求項６】
前記表示部は、
前記広告コンテンツを指定するユーザ操作が行われた場合、前記広告コンテンツを選択する操作であるか否かをユーザに選択させる、
ことを特徴とする請求項５に記載の端末装置。
【請求項７】
前記表示部は、
選択可能な状態で表示された前記コンテンツを指定するユーザ操作が行われた場合、前記コンテンツの表示態様の変化を再開する、
ことを特徴とする請求項４〜請求項６のいずれか１つに記載の端末装置。
【請求項８】
前記表示部は、
前記コンテンツの表示態様の変更に応じて選択された広告コンテンツを表示する、
ことを特徴とする請求項１〜請求項７のいずれか１つに記載の端末装置。
【請求項９】
前記表示部は、
前記領域の大きさに応じて選択された広告コンテンツを表示する、
ことを特徴とする請求項８に記載の端末装置。
【請求項１０】
前記表示部は、
前記広告コンテンツが表示されている時間に応じて前記広告コンテンツの提供主に請求する料金を算定する算定装置に、前記広告コンテンツが表示されている時間に関する情報を送信する、
ことを特徴とする請求項１〜請求項９のいずれか１つに記載の端末装置。
【請求項１１】
端末装置に表示されたコンテンツの表示態様の変化に応じて他のコンテンツの取得要求を受け付ける受付部と、
前記端末装置に表示されるコンテンツを制御する制御情報を前記端末装置に配信し、前記受付部によって前記取得要求が受け付けられた場合に、前記他のコンテンツを配信する配信部と、
を備え、
前記制御情報は、前記端末装置に、
前記端末装置に表示された前記コンテンツの表示態様の変化が発生した時点から前記端末装置に前記他のコンテンツが表示されるまでの間、前記端末装置における前記他のコンテンツが表示される領域であって、前記コンテンツの表示態様の変化の度合いに応じて大きさが変動する領域に広告コンテンツを表示させる表示手順、
を前記端末装置に実行させることを特徴とする配信装置。
【請求項１２】
コンピュータが実行する表示方法であって、
コンテンツの表示態様の変化に応じて他のコンテンツをサーバ装置から取得する取得工程と、
前記コンテンツの表示態様の変化が発生した時点から前記取得工程によって取得された前記他のコンテンツが表示されるまでの間、前記他のコンテンツが表示される領域であって、前記コンテンツの表示態様の変化の度合いに応じて大きさが変動する領域に広告コンテンツを表示する表示工程と、
を含むことを特徴とする表示方法。
【請求項１３】
コンテンツの表示態様の変化に応じて他のコンテンツをサーバ装置から取得する取得手順と、
前記コンテンツの表示態様の変化が発生した時点から前記取得手順によって取得された前記他のコンテンツが表示されるまでの間、前記他のコンテンツが表示される領域であって、前記コンテンツの表示態様の変化の度合いに応じて大きさが変動する領域に広告コンテンツを表示する表示手順と、
をコンピュータに実行させることを特徴とする表示プログラム。
【発明の詳細な説明】
【技術分野】
【０００１】
本発明は、端末装置、配信装置、表示方法及び表示プログラムに関する。
【背景技術】
【０００２】
近年、地図サービスなど様々なサービスが提供されている。例えば、このようなサービスをウェブアプリケーションとして提供する場合、Ａｊａｘ（Asynchronous  JavaScript（登録商標）  And  XML）などの非同期通信の技術が用いられている。これにより、ユーザは、画面遷移を伴わず所望のサービスの提供を受けることができる。
【０００３】
また、動画ファイルなどサイズの大きいファイルを再生する場合、ファイルをダウンロードしながら同時に再生を行うことによりユーザの待ち時間を短縮する、いわゆるストリーミングやプログレッシブダウンロード等の技術が提供されている。また、コンテンツのダウンロード時間を利用して広告コンテンツを表示する技術も提供されている。
【先行技術文献】
【特許文献】
【０００４】
【特許文献１】特開２００５−２９３３２８号公報
【発明の概要】
【発明が解決しようとする課題】
【０００５】
しかしながら、上記の従来技術では、広告効果を高めることができるとは限らない。具体的には、コンテンツの表示態様を変化させるために要する時間が短い場合、従来のような広告コンテンツの表示では、広告効果を高めることは難しい。
【０００６】
本願は、上記に鑑みてなされたものであって、コンテンツの表示態様を変化させるために要する時間が短い場合であっても、広告効果を高めることができる端末装置、配信装置、表示方法及び表示プログラムを提供することを目的とする。
【課題を解決するための手段】
【０００７】
本願に係る端末装置は、コンテンツの表示態様の変化に応じて他のコンテンツをサーバ装置から取得する取得部と、前記コンテンツの表示態様の変化が発生した時点から前記取得部によって取得された前記他のコンテンツが表示されるまでの間、前記他のコンテンツが表示される領域に広告コンテンツを表示する表示部と、を備えたことを特徴とする。
【発明の効果】
【０００８】
実施形態の一態様によれば、コンテンツの表示態様を変化させるために要する時間が短い場合であっても、広告効果を高めることができるという効果を奏する。
【図面の簡単な説明】
【０００９】
【図１】図１は、実施形態に係る表示処理の一例を示す図である。
【図２】図２は、実施形態に係る配信システムの構成例を示す図である。
【図３】図３は、実施形態に係る広告装置の構成例を示す図である。
【図４】図４は、実施形態に係る広告コンテンツ記憶部の一例を示す図である。
【図５】図５は、実施形態に係る配信装置の構成例を示す図である。
【図６】図６は、実施形態に係る端末装置の構成例を示す図である。
【図７】図７は、実施形態に係る配信システムによる配信処理手順を示すシーケンス図である。
【図８】図８は、変形例に係る表示処理の一例を示す図である。
【図９】図９は、変形例に係る表示処理の一例を示す図である。
【図１０】図１０は、変形例に係る表示処理の一例を示す図である。
【図１１】図１１は、変形例に係る表示処理の一例を示す図である。
【図１２】図１２は、端末装置の機能を実現するコンピュータの一例を示すハードウェア構成図である。
【発明を実施するための形態】
【００１０】
以下に、本願に係る端末装置、配信装置、表示方法及び表示プログラムを実施するための形態（以下、「実施形態」と呼ぶ）について図面を参照しつつ詳細に説明する。なお、この実施形態により本願に係る端末装置、配信装置、表示方法及び表示プログラムが限定されるものではない。また、以下の各実施形態において同一の部位には同一の符号を付し、重複する説明は省略される。
【００１１】
〔１．表示処理〕
まず、図１を用いて、実施形態に係る表示処理の一例について説明する。図１は、実施形態に係る表示処理の一例を示す図である。図１に示した端末装置１０は、ユーザが表示画面に触れることによる操作、いわゆるタッチパネルによる操作を受け付けるタブレット端末である。言い換えると、ユーザは、指や専用ペンで端末装置１０の出力部１３である表示画面をタッチすることにより各種操作を行う。図１では、ウェブページＷ１０の動的表示領域ＣＲ１２に表示されたコンテンツＣ１０の表示態様の変化に応じて広告コンテンツＡＣ１０が端末装置１０に表示される例を示す。
【００１２】
図１（ａ）に示すように、ブラウザＢＲ１０に表示されたウェブページＷ１０は、地図情報を提供するウェブページである。本実施形態で一例として示すウェブページＷ１０は、表示領域ＣＲ１１と動的表示領域ＣＲ１２とを含む。ウェブページＷ１０の動的表示領域ＣＲ１２には、例えば、地図コンテンツであるコンテンツＣ１０が表示される。具体的には図１（ａ）に示すように、動的表示領域ＣＲ１２には、コンテンツＣ１０の一部が表示される。動的表示領域ＣＲ１２には、ユーザの操作に応じて表示態様を変化させてコンテンツＣ１０が表示される。具体的には、動的表示領域ＣＲ１２には、ユーザの操作に応じてコンテンツＣ１０の一部が表示される。
【００１３】
ここで、本実施形態においてコンテンツＣ１０は地図コンテンツ全体を示し、動的表示領域ＣＲ１２には、コンテンツＣ１０の一部が表示されている。以下では、このようなウェブページＷ１０の動的表示領域ＣＲ１２に最初に表示されるコンテンツＣ１０の一部を「コンテンツＣ１０の初期表示部分」と称する場合がある。また、コンテンツＣ１０のうち、動的表示領域ＣＲ１２に表示されている部分を「コンテンツＣ１０の表示部分」と称し、動的表示領域ＣＲ１２に表示されておらず、ユーザの操作によるコンテンツＣ１０の表示態様の変化に伴って取得され、表示される部分を「コンテンツＣ１０の未取得部分」と称する場合がある。つまり、コンテンツＣ１０の未取得部分は、例えば、端末装置１０が未だ取得しておらず、表示するためにサーバ装置等から取得する必要のあるコンテンツＣ１０の部分である。
【００１４】
動的表示領域ＣＲ１２は、表示したコンテンツＣ１０の表示態様をユーザの操作に応じて変化させる領域である。具体的には、動的表示領域ＣＲ１２は、ユーザの操作に応じて、コンテンツＣ１０を配信するサーバ装置から取得されたコンテンツＣ１０の未取得部分を表示する。本実施形態において、端末装置１０は、コンテンツＣ１０を配信するサーバ装置である配信装置１００からコンテンツＣ１０の未取得部分を取得する。なお、このようなコンテンツＣ１０の表示態様の変化は、例えばＡｊａｘなどの非同期通信の技術により実現される。
【００１５】
実施形態に係る端末装置１０は、ユーザが動的表示領域ＣＲ１２（すなわち、表示されたコンテンツＣ１０）を指定した指を移動させる操作、いわゆるスワイプ操作などを行った場合、その指の位置の変化量に応じて、コンテンツＣ１０の表示態様を変化させる。以下では、ユーザがコンテンツＣ１０の表示態様を変化させるために行うスワイプ操作などを「変更操作」と称する場合がある。
【００１６】
例えば、図１（ａ）に示すように、端末装置１０は、ユーザが動的表示領域ＣＲ１２を指定した指を右側へ移動させる変更操作を行った場合、ユーザの指の位置の変化量に応じてコンテンツＣ１０の表示態様を変化させる。図１（ａ）において、端末装置１０は、ユーザの指の位置の変化量に応じて、動的表示領域ＣＲ１２中においてコンテンツＣ１０の表示部分を右方向へ移動させる。具体的には、図１（ａ）に示す動的表示領域ＣＲ１２中の左側に表示されたコンテンツＣ１０の表示部分が、動的表示領域ＣＲ１２中の右側へ移動し、動的表示領域ＣＲ１２中の右側に表示されたコンテンツＣ１０の表示部分は、動的表示領域ＣＲ１２に表示されなくなる。つまり、図１（ｂ）においては、図１（ａ）に示す動的表示領域ＣＲ１２中の左側に表示されたコンテンツＣ１０の表示部分が、コンテンツＣ１０の表示部分となる。このように、ユーザは、動的表示領域ＣＲ１２に表示されたコンテンツＣ１０の表示態様を変化させることにより、コンテンツＣ１０中の閲覧したい部分を動的表示領域ＣＲ１２に表示させる。
【００１７】
ここで、図１に示す動的表示領域ＣＲ１２において、変更操作によってコンテンツＣ１０の表示部分が表示されなくなった領域である取得後表示領域ＮＲ１１には、コンテンツＣ１０の未取得部分が表示される。なお、取得後表示領域は、変更操作によるコンテンツＣ１０の表示態様を変化の度合いに応じて動的にその大きさが変動する領域である。
【００１８】
上述のように、端末装置１０は、取得後表示領域ＮＲ１１が生じた場合、コンテンツＣ１０の未取得部分の取得を配信装置１００に要求し、配信装置１００から配信を受けることによりコンテンツＣ１０の未取得部分を取得する。そして、端末装置１０は、取得したコンテンツＣ１０の未取得部分を取得後表示領域ＮＲ１１に表示する。つまり、動的表示領域ＣＲ１２において、変更操作によってコンテンツＣ１０の表示態様の変化が発生してからコンテンツＣ１０の未取得部分が取得後表示領域ＮＲ１１に表示されるまでに、取得後表示領域ＮＲ１１にコンテンツＣ１０が表示されない時間（以下、「待機時間」と称する場合がある）が発生する。
【００１９】
そこで、端末装置１０は、コンテンツＣ１０の表示態様の変化が発生した時点から取得されたコンテンツＣ１０の未取得部分が表示されるまでの間、すなわち待機時間において、コンテンツＣ１０の未取得部分が表示される取得後表示領域ＮＲ１１に広告コンテンツＡＣ１０を表示する。図１（ｂ）に示す例においては、端末装置１０は、動的表示領域ＣＲ１２の左側に生じた取得後表示領域ＮＲ１１に広告コンテンツＡＣ１０を表示し、動的表示領域ＣＲ１２の右側にコンテンツＣ１０の表示部分を表示する。ここで、待機時間は数秒程度であることが多いため、広告コンテンツＡＣ１０としては、例えば、企業ロゴ、商品ロゴ、ブランドロゴなどの短時間で認識できる広告コンテンツが表示される。なお、端末装置１０は、コンテンツＣ１０の表示態様の変化に応じて、直ちに広告コンテンツＡＣ１０を表示できるように、後述する広告装置３０などから予め広告コンテンツＡＣ１０を取得する。言い換えると、端末装置１０は、コンテンツＣ１０の表示態様の変化が生じる前に、コンテンツＣ１０の未取得部分が表示される取得後表示領域ＮＲ１１に表示する広告コンテンツＡＣ１０をバックエンド側で準備する。これにより、端末装置１０は、コンテンツＣ１０の表示態様の変化から広告コンテンツＡＣ１０を表示するまでの時間を短縮できる。その後、端末装置１０は、配信装置１００からコンテンツＣ１０の未取得部分を取得した場合、広告コンテンツＡＣ１０を表示していた取得後表示領域ＮＲ１１に取得したコンテンツＣ１０の未取得部分を表示する。つまり、本実施形態の端末装置１０において、コンテンツＣ１０の表示態様の変化が発生した時点から取得されたコンテンツＣ１０の未取得部分が表示されるまでの間、すなわち待機時間だけ広告コンテンツＡＣ１０が表示される。
【００２０】
図１（ｃ）に示す例においては、端末装置１０は、動的表示領域ＣＲ１２の取得後表示領域ＮＲ１１に取得したコンテンツＣ１０の未取得部分を表示し、動的表示領域ＣＲ１２の右側にコンテンツＣ１０の表示部分を表示する。このように、図１（ｃ）に示す動的表示領域ＣＲ１２は、取得後表示領域ＮＲ１１がなくなるため広告コンテンツＡＣ１０は表示されなくなり、コンテンツＣ１０のみが表示される。したがって、図１（ｃ）においては、図１（ｂ）におけるコンテンツＣ１０の表示部分とコンテンツＣ１０の未取得部分とが、コンテンツＣ１０の表示部分となる。
【００２１】
このように、実施形態に係る端末装置１０は、コンテンツＣ１０の表示態様の変化が発生した時点から取得されたコンテンツＣ１０の未取得部分が表示されるまでの間、コンテンツＣ１０の未取得部分が表示される取得後表示領域ＮＲ１１に広告コンテンツＡＣ１０を表示する。これにより、端末装置１０は、変更操作が行われてコンテンツＣ１０の表示態様の変化が完了するまでの間、広告コンテンツＡＣ１０を表示することができる。例えば、図１に示した端末装置１０において、図１（ａ）のコンテンツＣ１０から図１（ｃ）のコンテンツＣ１０へ表示態様が変化するまでの時間（待機時間）は、ユーザが変更操作を行った後、自身の所望するコンテンツＣ１０の未取得部分の表示を待っている時間である。このような待機時間は、ユーザはコンテンツＣ１０の表示態様の変化の完了を待っている状態であるため、何も行っておらずかつ動的表示領域ＣＲ１２を見ている可能性が高く、ユーザが広告コンテンツに注目する可能性の高い時間であると推定される。そこで、端末装置１０は、このような待機時間に広告コンテンツＡＣ１０を表示させることで、ユーザが広告コンテンツに注目する可能性が高くなり、広告コンテンツＡＣ１０の広告効果を向上させることができる。
【００２２】
また、端末装置１０は、動的表示領域ＣＲ１２に動的に生じる取得後表示領域ＮＲ１１に広告コンテンツＡＣ１０を表示する。言い換えると、ウェブページＷ１０中に広告コンテンツＡＣ１０を表示するための専用領域を必要としない。そのため、端末装置１０が、スマートフォンなどの表示画面が比較的小さいスマートデバイスであっても、ウェブページＷ１０の視認性を低下させることなく、広告コンテンツＡＣ１０をユーザに表示できる。また、端末装置１０は、コンテンツＣ１０の表示態様の変化が発生した時点から所定時間、例えば２秒間が経過した後、広告コンテンツＡＣ１０を表示していた取得後表示領域ＮＲ１１に取得したコンテンツＣ１０の未取得部分を表示してもよい。言い換えると、端末装置１０は、広告を表示する表示時間を設定してもよい。この場合、端末装置１０は、コンテンツＣ１０の表示態様の変化が発生した時点から最初の２秒間は広告コンテンツＡＣ１０を表示される。これにより、端末装置１０は、コンテンツＣ１０の表示態様の変化が発生した時点から取得されたコンテンツＣ１０の未取得部分が表示されるまでの間が、例えば０．１秒などの瞬間的な場合であっても、設定した表示時間は広告コンテンツＡＣ１０を表示できる。言い換えると、端末装置１０は、広告コンテンツＡＣ１０がユーザに認識されない態様で表示されることを抑制できる。また、端末装置１０は、取得後表示領域ＮＲ１１が所定の大きさ未満である場合、広告コンテンツＡＣ１０を表示しなくてもよい。例えば、取得後表示領域ＮＲ１１が、表示したい企業ロゴなどの広告コンテンツＡＣ１０を表示する十分な大きさがない場合、取得後表示領域ＮＲ１１の大きさに合わせて広告コンテンツＡＣ１０を縮小するか広告コンテンツＡＣ１０の一部のみを表示することになる。このような場合、広告コンテンツＡＣ１０の広告効果を向上させることは難しい場合があるため、広告コンテンツＡＣ１０を表示しなくてもよい。これにより、端末装置１０は、広告コンテンツＡＣ１０がユーザに認識されない態様で表示されることを抑制できる。また、ユーザの指が動的表示領域ＣＲ１２に僅かに触れた等、ユーザが意図しない操作が行われた場合に、広告コンテンツＡＣ１０が表示されることも抑制できる。なお、本実施形態においては、ウェブページＷ１０の動的表示領域ＣＲ１２に表示されるコンテンツＣ１０の表示態様の変化に応じた広告コンテンツＡＣ１０の表示を例示するが、コンテンツの表示態様の変化に応じて他のコンテンツをサーバ装置から取得するなど、他のコンテンツを表示するまでに待機時間が発生するコンテンツであれば、どのようなコンテンツ（例えば、動画コンテンツなど）であってもよい。
【００２３】
以下、上述した表示処理を実現する端末装置１０等について説明する。なお、上記では説明を省略したが、上述したウェブページＷ１０には、ウェブページＷ１０、コンテンツＣ１０及び広告コンテンツＡＣ１０の表示態様を制御する制御情報が含まれる。また、端末装置１０は、制御情報に従って上述した表示処理を行う。このような制御情報については後述する。
【００２４】
〔２．配信システムの構成〕
次に、図２を用いて、実施形態に係る配信システムの構成について説明する。図２は、実施形態に係る配信システム１の構成例を示す図である。図２に示すように、配信システム１は、端末装置１０と、広告主端末２０と、広告装置３０と、配信装置１００とを含む。端末装置１０、広告主端末２０、広告装置３０及び配信装置１００は、ネットワーク４０を介して有線又は無線により通信可能に接続される。なお、図２に示す配信システム１には、複数台の端末装置１０や、複数台の広告主端末２０や、複数台の広告装置３０や、複数台の配信装置１００が含まれてもよい。
【００２５】
端末装置１０は、例えば、タッチパネルの機能を備えるタブレット端末であって、ウェブページを閲覧するユーザによって利用される情報処理装置である。なお、端末装置１０は、例えば、スマートフォンや、デスクトップ型ＰＣ（Personal  Computer）や、ノート型ＰＣや、携帯電話機や、ＰＤＡ（Personal  Digital  Assistant）等であってもよい。また、端末装置１０は、ユーザによる操作に従って、配信装置１００からウェブページを取得し、取得したウェブページを表示する。また、端末装置１０は、ウェブページに後述する広告取得命令が含まれる場合には、広告装置３０から広告コンテンツを取得する。
【００２６】
広告主端末２０は、広告主によって利用される情報処理装置である。例えば、広告主端末２０は、デスクトップ型ＰＣや、ノート型ＰＣや、タブレット端末や、携帯電話機や、ＰＤＡ等である。また、広告主端末２０は、広告主による操作に従って、広告コンテンツを広告装置３０に入稿する。例えば、広告主端末２０は、広告コンテンツとして、静止画像や、動画像や、テキストデータや、広告主が管理する広告主サーバによって配信される広告ページにアクセスするためのＵＲＬ（Uniform  Resource  Locator）などを広告装置３０に入稿する。
【００２７】
なお、広告主は、広告コンテンツの入稿を代理店に依頼する場合がある。この場合、広告装置３０に広告コンテンツを入稿するのは代理店となる。以下では、「広告主」といった表記は、広告主だけでなく代理店を含む概念であり、「広告主端末」といった表記は、広告主端末２０だけでなく代理店によって利用される代理店装置を含む概念であるものとする。
【００２８】
広告装置３０は、広告主端末２０から入稿された広告コンテンツを配信するサーバ装置である。例えば、広告装置３０は、端末装置１０からアクセスされた場合に、広告コンテンツを端末装置１０に配信する。
【００２９】
配信装置１００は、端末装置１０にウェブページを配信するウェブサーバ等である。例えば、配信装置１００は、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関する各種ウェブページを配信する。
【００３０】
配信装置１００によって配信されるウェブページは、例えば、ＨＴＭＬ（HyperText  Markup  Language）により記述されたＨＴＭＬファイルや、ＸＭＬ（Extensible  Markup  Language）により記述されたＸＭＬファイル等により形成される。そして、配信装置１００によって配信されるウェブページには、ウェブページ、コンテンツ及び広告コンテンツの表示態様を制御する制御情報が含まれる。この制御情報は、例えば、ＪａｖａＳｃｒｉｐｔ（登録商標）やＣＳＳ（Cascading  Style  Sheets）等のスクリプト言語により、ウェブページを形成するＨＴＭＬファイル等に記述される。
【００３１】
また、配信装置１００によって配信されるウェブページには、広告取得命令が含まれる。例えば、ウェブページを形成するＨＴＭＬファイル等には、広告装置３０のＵＲＬ等が広告取得命令として記述される。この場合、端末装置１０は、ＨＴＭＬファイル等に記述されているＵＲＬにアクセスすることで、広告装置３０から広告コンテンツを取得する。
【００３２】
〔３．広告装置の構成〕
次に、図３を用いて、実施形態に係る広告装置３０の構成について説明する。図３は、実施形態に係る広告装置３０の構成例を示す図である。図３に示すように、広告装置３０は、通信部３１と、広告コンテンツ記憶部３２と、制御部３３とを有する。
【００３３】
通信部３１は、例えば、ＮＩＣ（Network  Interface  Card）等によって実現される。そして、通信部３１は、ネットワーク４０と有線又は無線で接続され、端末装置１０や広告主端末２０や配信装置１００との間で情報の送受信を行う。
【００３４】
広告コンテンツ記憶部３２は、例えば、ＲＡＭ（Random  Access  Memory)、フラッシュメモリ（Flash  Memory）等の半導体メモリ素子、または、ハードディスク、光ディスク等の記憶装置によって実現される。そして、広告コンテンツ記憶部３２は、広告主端末２０から入稿された広告コンテンツに関する各種情報を記憶する。
【００３５】
ここで、図４に、実施形態に係る広告コンテンツ記憶部３２の一例を示す。図４に示した例では、広告コンテンツ記憶部３２は、「広告主ＩＤ」、「広告コンテンツ」、「入札価格」、「ＣＴＲ（Click  Through  Rate）」といった項目を有する。
【００３６】
「広告主ＩＤ」は、広告主又は広告主端末２０を識別するための識別情報を示す。「広告コンテンツ」は、広告主端末２０から入稿された広告コンテンツを示す。図４では「広告コンテンツ」に「ＡＣ１０」といった概念的な情報が格納される例を示したが、実際には、静止画像や動画像やテキストデータやＵＲＬ、又は、これらの格納場所を示すファイルパス名などが格納される。また、図１（ｂ）に示す広告コンテンツＡＣ１０は、取得後表示領域ＮＲ１１に表示された広告コンテンツを示すが、図１（ｂ）中の取得後表示領域ＮＲ１１に表示された（６つの）ロゴの１つ１つが広告コンテンツＡＣ１０であってもよい。すなわち、広告コンテンツＡＣ１０は取得後表示領域ＮＲ１１の大きさ等に応じて複数並べて表示される。
【００３７】
「入札価格」は、広告主が広告コンテンツを入稿する際に指定する広告料金を示す。例えば、「入札価格」は、広告コンテンツがユーザに１回クリックされた際に広告主から広告配信者（例えば、広告装置３０又は配信装置１００の管理者）に支払われる単価に該当する。なお、本実施形態においては、「入札価格」は、ユーザに１回指定操作された際に広告主から広告配信者に支払われる単価であってもよい。
【００３８】
「ＣＴＲ」は、広告コンテンツがクリックされた回数を広告コンテンツの表示回数によって除算した値を示す。なお、端末装置１０に配信されたことがない広告コンテンツのＣＴＲには、予め決められている固定値や、全ての広告コンテンツにおけるＣＴＲの平均値や、同一の広告カテゴリ（例えば、車、旅行）に属する全ての広告コンテンツにおけるＣＴＲの平均値などが記憶される。また、「ＣＴＲ」には、ＣＴＲの予測モデル等から予測される予測ＣＴＲが記憶されてもよい。このような予測ＣＴＲは、例えば、広告コンテンツの種別や、広告コンテンツが表示されるウェブページの種別等によって予測される。
【００３９】
すなわち、図４では、広告主ＩＤ「Ｂ１０」によって識別される広告主が、入札価格「１００」を指定するとともに、広告コンテンツ「ＡＣ１０」を入稿した例を示している。また、図４では、広告コンテンツ「ＡＣ１０」のＣＴＲが「０．０２」である例を示している。
【００４０】
また、広告コンテンツ記憶部３２は、広告コンテンツに関する情報として、取得後表示領域ＮＲ１１がどのような大きさの場合に広告コンテンツを表示させるかに関する情報や、どの程度の倍率まで広告コンテンツの縮尺を変更してもよいかに関する情報を有してもよい。例えば、図１（ｂ）に示すように広告コンテンツを並べて表示する場合、取得後表示領域の端部に位置する広告コンテンツは一部（例えば右半分）のみ表示するか、又は全体を縮小して全ての広告コンテンツを全体表示するかの指定に関する情報を受け付けてもよい。すなわち、広告装置３０は、上記のような広告コンテンツに関する情報を広告主から受け付けてもよい。
【００４１】
制御部３３は、例えば、ＣＰＵ（Central  Processing  Unit）やＭＰＵ（Micro  Processing  Unit）等によって、広告装置３０内部の記憶装置に記憶されている各種プログラムがＲＡＭを作業領域として実行されることにより実現される。また、制御部３３は、例えば、ＡＳＩＣ（Application  Specific  Integrated  Circuit）やＦＰＧＡ（Field  Programmable  Gate  Array）等の集積回路により実現される。
【００４２】
図３に示すように、制御部３３は、入稿受付部３４と、要求受付部３５と、抽出部３６と、配信部３７とを有し、以下に説明する情報処理の機能や作用を実現または実行する。なお、制御部３３の内部構成は、図３に示した構成に限られず、後述する情報処理を行う構成であれば他の構成であってもよい。また、制御部３３が有する各処理部の接続関係は、図３に示した接続関係に限られず、他の接続関係であってもよい。
【００４３】
入稿受付部３４は、広告主端末２０から広告コンテンツの入稿を受け付ける。具体的には、入稿受付部３４は、入札価格の指定とともに広告コンテンツの入稿を受け付ける。そして、入稿受付部３４は、入稿元の広告主に対応する広告主ＩＤに対応付けて、受け付けた入札価格及び広告コンテンツを広告コンテンツ記憶部３２に格納する。
【００４４】
要求受付部３５は、端末装置１０から広告コンテンツの取得要求を受け付ける。例えば、要求受付部３５は、広告コンテンツの取得要求として、ＨＴＴＰリクエストを受け付ける。
【００４５】
抽出部３６は、要求受付部３５によって広告コンテンツの取得要求が受け付けられた場合に、配信候補の広告コンテンツを広告コンテンツ記憶部３２から抽出する。例えば、抽出部３６は、広告コンテンツ記憶部３２に記憶されている広告コンテンツのうち、入札価格又はＣＴＲが高い広告コンテンツや、入札価格及びＣＴＲの双方が高い広告コンテンツを優先して抽出する。
【００４６】
配信部３７は、広告コンテンツ記憶部３２に記憶されている広告コンテンツを配信する。具体的には、配信部３７は、広告コンテンツの取得要求を送信した端末装置１０に対して、抽出部３６によって抽出された広告コンテンツを配信する。
【００４７】
〔４．配信装置の構成〕
次に、図５を用いて、実施形態に係る配信装置１００の構成について説明する。図５は、実施形態に係る配信装置１００の構成例を示す図である。図５に示すように、配信装置１００は、通信部１１０と、コンテンツ記憶部１２０と、制御部１３０とを有する。なお、本実施形態において、配信装置１００は、端末装置１０に表示されたコンテンツＣ１０の表示態様の変化に応じて他のコンテンツ（つまり、コンテンツＣ１０の未取得部分。以下同じ）を端末装置１０へ配信するサーバ装置としての機能を有する。
【００４８】
通信部１１０は、例えば、ＮＩＣ等によって実現される。そして、通信部１１０は、ネットワーク４０と有線又は無線で接続され、端末装置１０や広告装置３０との間で情報の送受信を行う。
【００４９】
コンテンツ記憶部１２０は、例えば、ＲＡＭ、フラッシュメモリ等の半導体メモリ素子、または、ハードディスク、光ディスク等の記憶装置によって実現される。そして、コンテンツ記憶部１２０は、ウェブページに関する情報を記憶する。例えば、コンテンツ記憶部１２０は、ウェブページを形成するＨＴＭＬファイルや、ウェブページに表示される静止画像や動画像を記憶する。また、コンテンツ記憶部１２０は、ウェブページの動的表示領域に表示されるコンテンツを記憶する。
【００５０】
コンテンツ記憶部１２０に記憶されるウェブページには、広告コンテンツを取得するための広告取得命令が含まれる。コンテンツ記憶部１２０に記憶されるウェブページには、ＪａｖａＳｃｒｉｐｔ（登録商標）やＣＳＳ等のスクリプト言語によりに記述される制御情報が含まれる。この制御情報は、ウェブページ、コンテンツ及び広告コンテンツの表示態様を制御する。ここで、実施形態に係る制御情報は、表示手順を含む。表示手順は、例えば、端末装置１０に表示されたコンテンツＣ１０の表示態様の変化が発生した時点から端末装置１０にコンテンツＣ１０の未取得部分が表示されるまでの間、端末装置１０におけるコンテンツＣ１０の未取得部分が表示される領域（取得後表示領域ＮＲ１１）に広告コンテンツＡＣ１０を表示させる処理手順である。
【００５１】
制御部１３０は、例えば、ＣＰＵやＭＰＵ等によって、配信装置１００内部の記憶装置に記憶されている各種プログラム（配信プログラムの一例に相当）がＲＡＭを作業領域として実行されることにより実現される。また、制御部１３０は、例えば、ＡＳＩＣやＦＰＧＡ等の集積回路により実現される。
【００５２】
図５に示すように、制御部１３０は、受付部１３１と、配信部１３２とを有し、以下に説明する情報処理の機能や作用を実現または実行する。なお、制御部１３０の内部構成は、図５に示した構成に限られず、後述する情報処理を行う構成であれば他の構成であってもよい。また、制御部１３０が有する各処理部の接続関係は、図５に示した接続関係に限られず、他の接続関係であってもよい。
【００５３】
受付部１３１は、端末装置１０からウェブページの取得要求を受け付ける。例えば、受付部１３１は、ウェブページの取得要求として、ＨＴＴＰリクエストを受け付ける。また、受付部１３１は、端末装置１０に表示されたコンテンツＣ１０の表示態様の変化に応じて、端末装置１０からコンテンツＣ１０の未取得部分の取得要求を受け付ける。
【００５４】
配信部１３２は、受付部１３１によってウェブページの取得要求が受け付けられた場合に、ウェブページ、コンテンツ及び制御情報を端末装置１０に配信する。具体的には、配信部１３２は、コンテンツ記憶部１２０から取得要求対象のウェブページ、及びコンテンツの初期表示部分を取得し、取得したウェブページ及びコンテンツの初期表示部分を端末装置１０に配信する。上記の通り、コンテンツ記憶部１２０に記憶されているウェブページには制御情報が含まれるので、配信部１３２は、ウェブページ、コンテンツ及び制御情報を配信することとなる。
【００５５】
なお、上述したコンテンツ記憶部１２０は、制御情報を含むウェブページではなく、ウェブページと制御情報とを個別に記憶してもよい。例えば、コンテンツ記憶部１２０は、ウェブページを形成するＨＴＭＬファイルと、制御情報が記述されたファイルとを対応付けて記憶してもよい。この場合、配信部１３２は、ウェブページ及び制御情報の双方を端末装置１０に配信する。
【００５６】
また、配信部１３２は、受付部１３１によってコンテンツＣ１０の未取得部分の取得要求が受け付けられた場合に、要求されたコンテンツＣ１０の未取得部分を配信する。具体的には、配信部１３２は、端末装置１０から要求されたコンテンツＣ１０の未取得部分をコンテンツ記憶部１２０から取得し、取得したコンテンツＣ１０の未取得部分を配信する。
【００５７】
〔５．端末装置の構成〕
次に、図６を用いて、実施形態に係る端末装置１０の構成について説明する。図６は、実施形態に係る端末装置１０の構成例を示す図である。図６に示すように、端末装置１０は、通信部１１と、検知部１２と、出力部１３と、記憶部１４と、制御部１５とを有する。
【００５８】
通信部１１は、例えば、通信回路等によって実現される。そして、通信部１１は、ネットワーク４０と有線又は無線で接続され、広告装置３０や配信装置１００との間で情報の送受信を行う。
【００５９】
検知部１２は、タッチパネルの機能によりタブレット端末等の表示画面を介してユーザから各種操作を受け付ける。すなわち、検知部１２は、端末装置１０の出力部１３を介してユーザから各種操作を受け付ける。例えば、検知部１２は、端末装置１０の出力部１３を介してユーザの指定操作等の操作を受け付ける。言い換えると、検知部１２は、タッチパネルの機能によりユーザの操作を受け付ける入力部として機能する。なお、検知部１２によるユーザの操作の検知方式には、タブレット端末では主に静電容量方式が採用されるが、他の検知方式である抵抗膜方式、表面弾性波方式、赤外線方式、電磁誘導方式など、ユーザの操作を検知できタッチパネルの機能が実現できればどのような方式を採用してもよい。また、端末装置１０は、端末装置１０にボタンが設けられたり、キーボードやマウスが接続されていたりする場合、ボタン等による操作も受け付ける入力部を有してもよい。
【００６０】
出力部１３は、例えば液晶ディスプレイや有機ＥＬ（Electro-Luminescence）ディスプレイ等によって実現されるタブレット端末等の表示画面であり、各種情報を表示するための表示装置である。つまり、端末装置１０は、出力部１３である表示画面によりユーザの入力を受け付け、ユーザへの出力も行う。
【００６１】
記憶部１４は、例えば、ＲＡＭ、フラッシュメモリ等の半導体メモリ素子、または、ハードディスク、光ディスク等の記憶装置によって実現される。そして、記憶部１４は、ウェブページに関する情報を記憶する。例えば、記憶部１４は、配信装置１００から受信した制御情報や広告装置３０から受信した広告コンテンツなどを記憶する。具体的には、コンテンツＣ１０の表示態様の変化が生じる前に、事前に取得した広告コンテンツを記憶する。これにより、端末装置１０は、オフライン状況においてコンテンツＣ１０の表示態様の変化が生じた場合であっても広告コンテンツを表示することができる。また、記憶部１４は、広告コンテンツの表示に関する情報（例えば、端末装置１０において表示された回数や表示された秒数など）を記憶してもよい。
【００６２】
制御部１５は、例えば、ＣＰＵやＭＰＵ等によって、端末装置１０内部の記憶装置に記憶されている各種プログラム（表示プログラムの一例に相当）がＲＡＭを作業領域として実行されることにより実現される。例えば、この各種プログラムは、ウェブブラウザと呼ばれるアプリケーションプログラムに該当する。また、制御部１５は、例えば、ＡＳＩＣやＦＰＧＡ等の集積回路により実現される。
【００６３】
図６に示すように、制御部１５は、要求部１６と、取得部１７と、表示部１８とを有し、以下に説明する情報処理の機能や作用を実現または実行する。なお、制御部１５の内部構成は、図６に示した構成に限られず、後述する情報処理を行う構成であれば他の構成であってもよい。また、制御部１５が有する各処理部の接続関係は、図６に示した接続関係に限られず、他の接続関係であってもよい。
【００６４】
要求部１６は、検知部１２により検知された操作に従って、配信装置１００にウェブページの取得要求を送信する。また、要求部１６は、取得部１７によって受け付けられたウェブページに広告取得命令が含まれる場合に、広告コンテンツの取得要求を広告装置３０に送信する。また、要求部１６は、例えば、記憶部１４に記憶された広告コンテンツの表示に関する情報を広告装置３０に通知してもよい。これにより、広告装置３０が端末装置１０から取得した広告コンテンツの表示に関する情報に基づいて広告効果を測定することが可能となる。
【００６５】
また、要求部１６は、コンテンツＣ１０の表示態様の変化に応じてコンテンツＣ１０の未取得部分の取得要求を配信装置１００へ送信する。具体的には、要求部１６は、図１（ａ）に示すように、ウェブページＷ１０中においてコンテンツＣ１０の表示部分を表示する動的表示領域ＣＲ１２にユーザにより変更操作が行われた場合、図１（ｂ）に示す取得後表示領域ＮＲ１１に表示するコンテンツＣ１０の未取得部分の取得要求を配信装置１００へ送信する。
【００６６】
取得部１７は、ウェブページ、コンテンツ、広告コンテンツ等を取得する。具体的には、取得部１７は、要求部１６によって送信されたウェブページの取得要求に応答した配信装置１００からウェブページ及びコンテンツの初期表示部分を取得する。このとき、取得部１７は、ウェブページに広告取得命令が含まれる場合には、広告コンテンツの取得要求を送信するよう要求部１６に指示する。そして、取得部１７は、要求部１６によって送信された広告コンテンツの取得要求に応答した広告装置３０から広告コンテンツを取得する。また、取得部１７は、例えば、広告装置３０から取得した広告コンテンツを記憶部１４に格納する。
【００６７】
また、取得部１７は、要求部１６により要求されたコンテンツＣ１０の未取得部分を配信装置１００から取得する。具体的には、取得部１７は、要求部１６により配信装置１００へ取得要求が行われた場合、図１（ｂ）に示す取得後表示領域ＮＲ１１に表示するコンテンツＣ１０の未取得部分を配信装置１００から取得する。
【００６８】
表示部１８は、取得部１７によって受け付けられたウェブページに含まれる制御情報に従って、ウェブページ、コンテンツ及び広告コンテンツを出力部１３に表示制御する。例えば、表示部１８は、ＣＰＵやＭＰＵ等によって、ウェブページに含まれる制御情報がＲＡＭを作業領域として実行されることにより実現される。すなわち、表示部１８は、上述した表示手順により実現される。
【００６９】
表示部１８は、取得部１７によって受け付けられたウェブページ及びコンテンツの初期表示部分を表示する。例えば、表示部１８は、図１（ａ）に示すように、ウェブページＷ１０の表示領域ＣＲ１１と動的表示領域ＣＲ１２とを表示するとともに、動的表示領域ＣＲ１２には、コンテンツＣ１０の初期表示部分を表示する。図１（ａ）に示す例においては、コンテンツＣ１０の初期表示部分が、コンテンツＣ１０の表示部分となる。
【００７０】
例えば、表示部１８は、図１（ａ）に示すように、ユーザが動的表示領域ＣＲ１２を指定した指を右側へ移動させる変更操作を行った場合、ユーザの指の位置の変化量に応じてコンテンツＣ１０の表示態様を変化させる。図１（ａ）において、表示部１８は、ユーザの指の位置の変化量に応じて、動的表示領域ＣＲ１２中のコンテンツＣ１０の表示部分を右方向へ移動させて表示する。具体的には、図１（ａ）に示す動的表示領域ＣＲ１２中の左側に表示されたコンテンツＣ１０の表示部分を、動的表示領域ＣＲ１２中の右側へ移動させて表示する。そして、表示部１８は、図１（ａ）に示す動的表示領域ＣＲ１２中の右側に表示されたコンテンツＣ１０の表示部分を表示しない。つまり、表示部１８は、図１（ｂ）においては、図１（ａ）に示す動的表示領域ＣＲ１２中の左側に表示されたコンテンツＣ１０の表示部分のみを表示する。このように、表示部１８は、動的表示領域ＣＲ１２に表示されたコンテンツＣ１０の表示態様を変化させることにより、ユーザがコンテンツＣ１０中の閲覧したい部分を動的表示領域ＣＲ１２に表示させる。
【００７１】
また、表示部１８は、動的表示領域ＣＲ１２中に取得後表示領域ＮＲ１１が生じた場合、要求部１６にコンテンツＣ１０の未取得部分の取得を配信装置１００に要求させる。そして、表示部１８は、取得部１７により配信装置１００から取得したコンテンツＣ１０の未取得部分を取得後表示領域ＮＲ１１に表示する。
【００７２】
また、表示部１８は、コンテンツＣ１０の表示態様の変化が発生した時点から取得したコンテンツＣ１０の未取得部分を表示するまでの間、すなわち待機時間において、コンテンツＣ１０の未取得部分を表示する取得後表示領域ＮＲ１１に広告コンテンツＡＣ１０を表示する。図１（ｂ）に示す例においては、表示部１８は、動的表示領域ＣＲ１２の左側に生じた取得後表示領域ＮＲ１１に広告コンテンツＡＣ１０を表示し、動的表示領域ＣＲ１２の右側にコンテンツＣ１０の表示部分を表示する。すなわち、表示部１８は、コンテンツＣ１０の表示態様の変化が発生した時点から取得されたコンテンツＣ１０の未取得部分を表示するまでの間、広告コンテンツＡＣ１０を表示する。
【００７３】
〔６．配信処理のフロー〕
次に、図７を用いて、実施形態に係る配信システム１による配信処理の手順について説明する。図７は、実施形態に係る配信システム１による配信処理手順を示すシーケンス図である。
【００７４】
図７に示すように、端末装置１０は、ユーザ操作に従って、ウェブページの取得要求を配信装置１００に送信する（ステップＳ１０１）。そして、配信装置１００は、ウェブページの取得要求に応じて、ウェブページとともにコンテンツの一部を端末装置１０に配信する（ステップＳ１０２）。そして、ウェブページとともにコンテンツの一部を取得した端末装置１０は、取得したウェブページとコンテンツの一部とを表示する。具体的には、端末装置１０は、ウェブページの動的表示領域にコンテンツの初期表示部分を表示する。なお、配信装置１００によって配信されるウェブページには、広告装置３０のＵＲＬ等である広告取得命令が含まれる。
【００７５】
続いて、端末装置１０は、ウェブページに含まれる広告取得命令に基づいて、広告コンテンツの取得要求を広告装置３０に送信する（ステップＳ１０３）。そして、広告装置３０は、広告コンテンツの取得要求に応じて、広告コンテンツを端末装置１０に配信する（ステップＳ１０４）。
【００７６】
そして、端末装置１０は、ユーザによりコンテンツの表示の変更操作が行われた場合（ステップＳ１０５）、変更操作に応じてコンテンツの未取得部分の取得を配信装置１００へ要求する（ステップＳ１０６）。ここで、端末装置１０は、コンテンツの表示態様の変化が発生した時点から取得したコンテンツの未取得部分を表示するまでの間、すなわち待機時間において、コンテンツの未取得部分を表示する取得後表示領域に広告コンテンツを表示する（ステップＳ１０７）。
【００７７】
また、端末装置１０からコンテンツの未取得部分の取得の要求を受け付けた配信装置１００は、要求されたコンテンツの未取得部分を端末装置１０へ送信する（ステップＳ１０８）。そして、端末装置１０は、配信装置１００から取得したコンテンツの未取得部分を取得後表示領域に表示する（ステップＳ１０９）。なお、端末装置１０は、ステップＳ１０５においてコンテンツの表示の変更操作が行われる度に、広告コンテンツの取得要求を広告装置３０に送信してもよい。例えば、端末装置１０は、コンテンツの表示の変更操作により生じた取得後表示領域の大きさや形状に応じた広告コンテンツを配信するように、広告コンテンツの取得要求を広告装置３０に送信してもよい。そして、端末装置１０は、広告装置３０から受信した広告コンテンツを表示してもよい。
【００７８】
〔７．変形例〕
上述した実施形態に係る配信システム１は、上記実施形態以外にも種々の異なる形態にて実施されてよい。そこで、以下では、配信システム１の他の実施形態について説明する。なお、以下に説明する端末装置１０は、ウェブページに含まれる制御情報に従って、表示処理を行う。
【００７９】
〔７−１．広告コンテンツの指定〕
上記実施形態において、端末装置１０は、広告コンテンツＡＣ１０を選択可能な状態で表示してもよい。具体的には、端末装置１０は、動的表示領域ＣＲ１２中の取得後表示領域ＮＲ１１に広告コンテンツＡＣ１０を選択可能な状態で表示してもよい。そして、端末装置１０は、取得後表示領域ＮＲ１１に表示した広告コンテンツＡＣ１０を指定するユーザ操作が行われた場合、コンテンツＣ１０の表示態様の変化を停止してもよい。この点について、図８を用いて説明する。図８は、変形例に係る表示処理の一例を示す図である。なお、図８中に示す符号、例えば、コンテンツＣ１０や動的表示領域ＣＲ１２等は、図１における同一符号のものに対応する。
【００８０】
図８（ａ）に示すように、端末装置１０は、ユーザが動的表示領域ＣＲ１２を指定した指を右側へ移動させる変更操作を行った場合、ユーザの指の位置の変化量に応じてコンテンツＣ１０の表示態様を変化させる。具体的には、図８（ｂ）に示すように、端末装置１０は、動的表示領域ＣＲ１２の左側に生じた取得後表示領域ＮＲ１１に広告コンテンツＡＣ１０を表示する。そして、端末装置１０は、取得後表示領域ＮＲ１１に表示された広告コンテンツＡＣ１０を指定するユーザ操作を受け付ける。ここでいう、広告コンテンツＡＣ１０を指定するユーザ操作としては、取得後表示領域ＮＲ１１を指先で２回タッチする、いわゆるダブルタップや、取得後表示領域ＮＲ１１を指先で所定の時間（例えば、１秒）タッチし続ける、いわゆるロングタップなど、ユーザが広告コンテンツＡＣ１０を指定したことが明確である操作である。これにより、ユーザが動的表示領域ＣＲ１２中の取得後表示領域ＮＲ１１に対して変更操作を行った場合であっても、広告コンテンツＡＣ１０を指定するユーザ操作として受け付けることを抑制できる。
【００８１】
そして、端末装置１０は、広告コンテンツＡＣ１０を指定するユーザ操作を受け付けた場合、図８（ｃ）に示すように、コンテンツＣ１０の表示態様の変化を停止する。言い換えると、端末装置１０は、広告コンテンツＡＣ１０を指定するユーザ操作を受け付けた場合、取得後表示領域ＮＲ１１に広告コンテンツＡＣ１０を表示し続ける。これにより、ユーザが、広告コンテンツＡＣ１０に関心を持った場合に、取得後表示領域ＮＲ１１にコンテンツＣ１０の未取得部分が表示されてしまい広告コンテンツＡＣ１０が表示されなくなることを抑制し、広告コンテンツＡＣ１０に関心を持ったユーザに十分な時間、広告コンテンツＡＣ１０を表示し続けることができる。
【００８２】
〔７−２．広告コンテンツの指定の選択〕
上記実施形態において、端末装置１０は、広告コンテンツＡＣ１０を選択可能な状態で表示してもよい。具体的には、端末装置１０は、動的表示領域ＣＲ１２中の取得後表示領域ＮＲ１１に広告コンテンツＡＣ１０を選択可能な状態で表示してもよい。そして、端末装置１０は、取得後表示領域ＮＲ１１に表示した広告コンテンツＡＣ１０を指定するユーザ操作が行われた場合、広告コンテンツＡＣ１０を選択する操作であるか否かをユーザに選択させてもよい。この点について、図９を用いて説明する。図９は、変形例に係る表示処理の一例を示す図である。なお、図９中に示す符号、例えば、コンテンツＣ１０や動的表示領域ＣＲ１２等は、図１における同一符号のものに対応する。
【００８３】
図９（ａ）に示すように、端末装置１０は、ユーザが動的表示領域ＣＲ１２を指定した指を右側へ移動させる変更操作を行った場合、ユーザの指の位置の変化量に応じてコンテンツＣ１０の表示態様を変化させる。具体的には、図９（ｂ）に示すように、端末装置１０は、動的表示領域ＣＲ１２の左側に生じた取得後表示領域ＮＲ１１に広告コンテンツＡＣ１０を表示する。そして、端末装置１０は、取得後表示領域ＮＲ１１に表示された広告コンテンツＡＣ１０を指定するユーザ操作を受け付ける。ここでいう、広告コンテンツＡＣ１０を指定するユーザ操作としては、取得後表示領域ＮＲ１１を指先で２回タッチする、いわゆるダブルタップや、取得後表示領域ＮＲ１１を指先で所定の時間（例えば、１秒）タッチし続ける、いわゆるロングタップなど、ユーザが広告コンテンツＡＣ１０を指定したことが明確である操作である。これにより、ユーザが動的表示領域ＣＲ１２中の取得後表示領域ＮＲ１１に対して行った変更操作を、広告コンテンツＡＣ１０を指定するユーザ操作として受け付けることを抑制できる。
【００８４】
そして、端末装置１０は、広告コンテンツＡＣ１０を指定するユーザ操作を受け付けた場合、広告コンテンツＡＣ１０を選択する操作であるか否かをユーザに選択させる。例えば、図９（ｃ）に示すように、端末装置１０は、広告コンテンツＡＣ１０を指定するユーザ操作を受け付けた場合、選択ページＰＣ１０をポップアップ表示する。なお、端末装置１０は、選択ページＰＣ１０を表示した場合、コンテンツＣ１０の表示態様の変化を停止してもよい。
【００８５】
そして、端末装置１０は、広告コンテンツＡＣ１０を指定する操作であることをユーザが選択した場合、広告コンテンツＡＣ１０のリンク先へアクセスする。この場合、広告コンテンツＡＣ１０には、広告主によって提供される広告ページへのリンクが張られる。具体的には、図９（ｃ）に示すように、端末装置１０は、選択ページＰＣ１０に表示された「はい」ボタンにユーザがタッチした場合、広告コンテンツＡＣ１０のリンク先である広告主ページＷ１１を表示する。これにより、ユーザが広告コンテンツＡＣ１０に関心を持ったユーザに、図９（ｄ）に示すように、広告コンテンツＡＣ１０に関する広告主ページＷ１１を表示することができるため、広告効果を高めることがきできる。なお、図９（ｃ）に示す例において選択ページＰＣ１０に表示された「いいえ」ボタンにユーザがタッチした場合、端末装置１０は、コンテンツＣ１０の表示態様の変化を再開してもよい。
【００８６】
〔７−３．表示処理（変更処理）の再開〕
上記実施形態において、端末装置１０は、広告コンテンツＡＣ１０が指定するユーザ操作されコンテンツＣ１０の表示態様の変化を停止した場合において、コンテンツＣ１０を指定するユーザ操作が行われた場合、コンテンツＣ１０の表示態様の変化を再開してもよい。具体的には、端末装置１０は、取得後表示領域ＮＲ１１に広告コンテンツＡＣ１０を表示したままコンテンツＣ１０の表示態様の変化を停止した状態において、コンテンツＣ１０を指定するユーザ操作が行われた場合、コンテンツＣ１０の表示態様の変化を再開してもよい。この点について、図１０を用いて説明する。図１０は、変形例に係る表示処理の一例を示す図である。なお、図１０中に示す符号、例えば、コンテンツＣ１０や動的表示領域ＣＲ１２等は、図１における同一符号のものに対応する。
【００８７】
図１０（ａ）は、図８（ｂ）に対応しており、端末装置１０は、動的表示領域ＣＲ１２の取得後表示領域ＮＲ１１に表示された広告コンテンツＡＣ１０が指定された状態を示す。つまり、図１０（ａ）に示す端末装置１０において、コンテンツＣ１０の表示態様の変化は停止している。
【００８８】
図１０（ｂ）に示すように、端末装置１０は、動的表示領域ＣＲ１２に表示されたコンテンツＣ１０を指定するユーザ操作を受け付けた場合、コンテンツＣ１０の表示態様の変化を再開する。この場合、端末装置１０は、図１０（ｃ）に示すように、コンテンツＣ１０の表示態様の変化を再開し、コンテンツＣ１０の表示態様の変化を完了させる。これにより、広告コンテンツＡＣ１０に関心を持ったユーザが、広告コンテンツＡＣ１０を確認した後、簡単にコンテンツＣ１０への操作へ戻ることができる。これにより、端末装置１０は、ユーザに心理負担なく広告の内容を確認させることができ、広告の効果を向上させることができる。
【００８９】
〔７−４．変更操作と取得後表示領域〕
上記実施形態において、端末装置１０は、変更操作としてスワイプ操作が行われた場合に広告コンテンツＡＣ１０を表示する場合を例示した。しかしながら、端末装置１０は、スワイプ操作に限らず他の種々の操作を変更操作として受け付けてもよい。そこで、図１１において、端末装置１０がユーザによる動的表示領域ＣＲ１２を指定した２本の指の間隔を狭める操作、すなわちピンチイン操作を受け付けて、広告コンテンツＡＣ１０を表示する例を示す。図１１は、変形例に係る表示処理の一例を示す図である。なお、図１１中に示す符号、例えば、コンテンツＣ１０や動的表示領域ＣＲ１２等は、図１における同一符号のものに対応する。
【００９０】
図１１（ａ）に示すように、端末装置１０は、ユーザが動的表示領域ＣＲ１２を指定した２本の指の間隔を狭める変更操作を行った場合、ユーザの２本の指の間隔の変化量に応じてコンテンツＣ１０の表示態様を変化させる。具体的には、図１１（ｂ）に示すように、端末装置１０は、動的表示領域ＣＲ１２の中央部にコンテンツＣ１０の表示部分を表示する。すなわち、端末装置１０は、図１１（ａ）中の動的表示領域ＣＲ１２に表示されたコンテンツＣ１０の表示部分を、図１１（ｂ）中の動的表示領域ＣＲ１２の中央部に圧縮して表示する。
【００９１】
そのため、図１１（ｂ）に示すように、動的表示領域ＣＲ１２には中央部に表示されたコンテンツＣ１０の表示部分を囲むように、取得後表示領域ＮＲ１２が生じる。そこで、端末装置１０は、コンテンツＣ１０の表示態様の変化が発生した時点から取得されたコンテンツＣ１０の未取得部分が表示されるまでの間、すなわち待機時間において、コンテンツＣ１０の未取得部分が表示される取得後表示領域ＮＲ１２に広告コンテンツＡＣ１０を表示する。図１１（ｂ）に示す例においては、端末装置１０は、動的表示領域ＣＲ１２の中央部の除く部分に生じた取得後表示領域ＮＲ１２に広告コンテンツＡＣ１０を表示し、動的表示領域ＣＲ１２の中央部にコンテンツＣ１０の表示部分を表示する。なお、この場合、図１１（ｂ）中の取得後表示領域ＮＲ１２に表示された（６つの）ロゴの１つ１つが広告コンテンツＡＣ１０であり、取得後表示領域ＮＲ１２にできるだけ効果的に表示されるように広告コンテンツＡＣ１０が配置されてもよい。また、例えばドーナツ状に表示される広告コンテンツを広告装置３０から受信して、当該広告コンテンツを表示してもよい。これにより、端末装置１０は、取得後表示領域の大きさや形状に応じて、適切な広告コンテンツを取得後表示領域に表示できる。
【００９２】
また、図１１（ｃ）に示すようにコンテンツＣ１０の未取得部分を取得した端末装置１０は、動的表示領域ＣＲ１２の取得後表示領域ＮＲ１２に取得したコンテンツＣ１０の未取得部分を表示する。このように、図１１（ｃ）に示す動的表示領域ＣＲ１２は、取得後表示領域ＮＲ１２がなくなるため広告コンテンツＡＣ１０は表示されなくなり、コンテンツＣ１０の表示部分が表示される。このように、端末装置１０は、ユーザの種々の変更操作に応じて適切に広告コンテンツＡＣ１０を表示することができる。また、端末装置１０は、コンテンツＣ１０の表示態様の変化に応じて、適切に広告コンテンツＡＣ１０を表示することができる。
【００９３】
〔７−５．課金〕
上記実施形態において、配信システム１は、広告コンテンツが表示された時間に応じて、広告コンテンツの提供主である広告主へ課金を行ってもよい。例えば、配信システム１は、広告主へ請求する料金を算定する算定装置を有してもよい。この場合、端末装置１０の表示部１８は、広告コンテンツが表示された時間に関する情報を算定装置へ送信する。そして、端末装置１０から情報を受信した算定装置が、広告主へ請求する料金を算定してもよい。
【００９４】
例えば、端末装置１０の表示部１８は、広告コンテンツが表示されている時間を算定装置へ送信してもよい。具体的には、端末装置１０の表示部１８は、広告コンテンツが表示された秒数や表示された広告コンテンツを識別する情報を算定装置へ送信してもよい。端末装置１０から広告コンテンツが表示された秒数や広告コンテンツを識別する情報を受信した算定装置は、受信した秒数に基づいて広告コンテンツを識別する情報に基づいて特定される広告主に請求する料金を算定してもよい。例えば、算定装置は、受信した秒数が１秒を超えていれば１円、５秒を超えていれば１０円、１０秒を超えていれば１５円等のように、所定の時間ごとに金額を設定し、設定した金額を基に料金を算定してもよい。他にも、算定装置は、例えば１秒当たり２円など単価を定め、受信した秒数に単価を乗じて料金を算定してもよい。なお、端末装置１０の表示部１８は、所定の期間（例えば１日や１週間など）おきにその期間に広告コンテンツが表示された秒数の合計を算定装置へ送信してもよいし、広告コンテンツが表示される度に、広告コンテンツが表示された秒数を算定装置へ送信してもよい。
【００９５】
また、算定装置は、広告コンテンツがユーザにより選択された場合に、広告主へ請求する料金を算定してもよい。この場合、端末装置１０の表示部１８は、広告コンテンツがユーザにより選択されたこと通知する情報を算定装置に送信してもよい。なお、算定装置は、上述の処理を組み合わせて課金を行なってもよい。なお、算定装置は、広告装置３０や配信装置１００であってもよいし、別の装置であってもよい。
【００９６】
〔７−６．装置構成〕
また、上記実施形態では、配信システム１に、配信装置１００と広告装置３０とが含まれる例を示したが、配信装置１００と広告装置３０とは１個の装置として形成されてもよい。この場合、図３に示した配信装置１００は、例えば、コンテンツ記憶部１２０とは別に、広告コンテンツ記憶部を有する。そして、配信装置１００は、端末装置１０からウェブページの取得要求を受け付けた場合に、広告コンテンツ記憶部にある広告コンテンツとともに、広告取得命令を含まないウェブページを端末装置１０に配信する。なお、上記実施形態では、配信装置１００が、コンテンツ及び制御情報を端末装置１０へ廃止する場合を示したが、コンテンツを配信する装置と制御情報を配信する装置は別の装置であってもよい。
【００９７】
また、上記実施形態では、広告装置３０から端末装置１０に広告コンテンツが配信される例を示したが、配信装置１００が、広告装置３０から広告コンテンツを取得してもよい。この場合、広告装置３０は、配信装置１００から広告コンテンツの取得要求を受け付ける。また、広告装置３０は、配信装置１００に広告コンテンツを配信する。また、配信装置１００の配信部１３２は、広告装置３０から取得した広告コンテンツとともに、広告取得命令を含まないウェブページを端末装置１０に配信する。
【００９８】
また、上記実施形態では、ウェブページに、ウェブページ、コンテンツ及び広告コンテンツの表示態様を制御する制御情報が含まれる例を示したが、広告コンテンツにウェブページ、コンテンツ及び広告コンテンツの表示態様を制御する制御情報が含まれてもよい。この場合、端末装置１０は、広告コンテンツに含まれる制御情報に従って上述した表示処理を行ってもよい。
【００９９】
〔７−７．その他〕
また、上記各実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１００】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１０１】
また、上述してきた各実施形態は、処理内容を矛盾させない範囲で適宜組み合わせることが可能である。
【０１０２】
〔７−８．ハードウェア構成〕
上述してきた実施形態に係る端末装置１０、広告装置３０及び配信装置１００は、例えば図１２に示すような構成のコンピュータ１０００によって実現される。以下、配信装置１００を例に挙げて説明する。図１２は、配信装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１０３】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１０４】
ＨＤＤ１４００は、ＣＰＵ１１００によって実行されるプログラム、及び、かかるプログラムによって使用されるデータ等を格納する。通信インターフェイス１５００は、ネットワーク４０を介して他の機器からデータを受信してＣＰＵ１１００へ送り、ＣＰＵ１１００が生成したデータをネットワーク４０を介して他の機器へ送信する。
【０１０５】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１０６】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１０７】
例えば、コンピュータ１０００が実施形態に係る配信装置１００として機能する場合、コンピュータ１０００のＣＰＵ１１００は、ＲＡＭ１２００上にロードされたプログラムを実行することにより、制御部１３０の機能を実現する。コンピュータ１０００のＣＰＵ１１００は、これらのプログラムを記録媒体１８００から読み取って実行するが、他の例として、他の装置からネットワーク４０を介してこれらのプログラムを取得してもよい。
【０１０８】
なお、コンピュータ１０００が実施形態に係る端末装置１０として機能する場合、例えば、コンピュータ１０００のＣＰＵ１１００は、ＲＡＭ１２００上にロードされたプログラムを実行することにより、制御部１５の機能を実現する。
【０１０９】
〔８．効果〕
上述してきたように、実施形態に係る端末装置１０は、取得部１７と、表示部１８とを有する。取得部１７は、コンテンツＣ１０の表示態様の変化に応じて他のコンテンツ（実施形態においては、コンテンツＣ１０の未取得部分）をサーバ装置（実施形態においては、配信装置１００）から取得する。表示部１８は、コンテンツＣ１０の表示態様の変化が発生した時点から取得部１７によってコンテンツＣ１０の未取得部分が取得されるまでの間、コンテンツＣ１０の未取得部分が表示される領域（実施形態においては、取得後表示領域ＮＲ１１）に広告コンテンツＡＣ１０を表示する。
【０１１０】
これにより、実施形態に係る端末装置１０は、コンテンツの表示態様を変化させるために要する時間が短い場合であっても、広告効果を高めることがきできる。また、端末装置１０は、ロゴマーク等、短時間で視認できる広告コンテンツを表示することにより、広告の効果を向上させることができる。また、端末装置１０は、動的表示領域ＣＲ１２に動的に生じる取得後表示領域ＮＲ１１に広告コンテンツＡＣ１０を表示する。つまり、ウェブページＷ１０中に広告コンテンツＡＣ１０を表示するための専用領域を必要としないため、端末装置１０がスマートフォンなどの表示画面が比較的小さいスマートデバイスであっても、ウェブページＷ１０の視認性を低下させることなく、広告コンテンツＡＣ１０をユーザに表示できる。
【０１１１】
また、実施形態に係る端末装置１０において、表示部１８は、取得部１７により取得したコンテンツＣ１０の未取得部分を所定時間が経過した後に取得後表示領域ＮＲ１１に表示する。
【０１１２】
これにより、実施形態に係る端末装置１０は、コンテンツＣ１０の表示態様の変化が発生した時点から取得されたコンテンツＣ１０の未取得部分が表示されるまでの間が、例えば０．１秒などの瞬間的な場合であっても、設定した表示時間は広告コンテンツＡＣ１０を表示できる。すなわち、端末装置１０は、広告コンテンツＡＣ１０がユーザに認識されない態様で表示されることを抑制できる。
【０１１３】
また、実施形態に係る端末装置１０において、表示部１８は、取得後表示領域ＮＲ１１に広告コンテンツＡＣ１０を選択不可能な状態で表示する。
【０１１４】
これにより、実施形態に係る端末装置１０は、広告コンテンツＡＣ１０が選択されることなどにより、コンテンツＣ１０の表示態様の変化が停止することがなくなり、コンテンツＣ１０に対する変更操作を行っているユーザのユーザビリティの低下を抑制できる。
【０１１５】
また、実施形態に係る端末装置１０において、表示部１８は、取得後表示領域ＮＲ１１に広告コンテンツＡＣ１０を選択可能な状態で表示する。
【０１１６】
これにより、実施形態に係る端末装置１０は、ユーザが、広告コンテンツＡＣ１０に関心を持ったことを示す情報を取得することが可能となる。そのため、端末装置１０は、このような広告コンテンツＡＣ１０に関心を持ったことユーザに対して適切な広告コンテンツＡＣ１０に関する対応を行うことができる。
【０１１７】
また、実施形態に係る端末装置１０において、表示部１８は、広告コンテンツＡＣ１０を指定するユーザ操作が行われた場合、コンテンツＣ１０の表示態様の変化を停止する。
【０１１８】
これにより、実施形態に係る端末装置１０は、ユーザが、広告コンテンツＡＣ１０に関心を持った場合に、取得後表示領域ＮＲ１１にコンテンツＣ１０の未取得部分が表示されてしまい広告コンテンツＡＣ１０が表示されなくなることを抑制し、広告コンテンツＡＣ１０に関心を持ったユーザに十分な時間、広告コンテンツＡＣ１０を表示し続けることができる。したがって、端末装置１０は、広告の効果を向上させることができる。
【０１１９】
また、実施形態に係る端末装置１０において、表示部１８は、広告コンテンツＡＣ１０を指定するユーザ操作が行われた場合、広告コンテンツＡＣ１０を選択する操作であるか否かをユーザに選択させる。
【０１２０】
これにより、実施形態に係る端末装置１０は、広告コンテンツＡＣ１０に関心を持ったユーザに、広告コンテンツＡＣ１０に関するサービスを提供することができるため、広告効果を高めることがきできる。例えば、広告コンテンツＡＣ１０に関心を持ったユーザに、広告コンテンツＡＣ１０に関する広告主ページＷ１１を表示することができるため、広告効果を高めることがきできる。また、例えば誤って広告コンテンツＡＣ１０を選択してしまったユーザなど、広告コンテンツＡＣ１０に対して関心の低いユーザに対して、広告コンテンツＡＣ１０に関するサービスを提供することを抑制できる。
【０１２１】
また、実施形態に係る端末装置１０において、表示部１８は、選択可能な状態で表示されたコンテンツＣ１０を指定するユーザ操作が行われた場合、コンテンツＣ１０の表示態様の変化を再開する。
【０１２２】
これにより、実施形態に係る端末装置１０は、例えば誤って広告コンテンツＡＣ１０を選択してしまったユーザなど、広告コンテンツＡＣ１０に対して関心の低いユーザに対して、広告コンテンツＡＣ１０に関するサービスを提供することを抑制できる。また、広告コンテンツＡＣ１０に関心を持ったユーザが、広告コンテンツＡＣ１０を確認した後、簡単にコンテンツＣ１０への操作へ戻ることができる。これにより、端末装置１０は、ユーザに心理負担なく広告の内容を確認させることができ、広告の効果を向上させることができる。
【０１２３】
また、実施形態に係る端末装置１０において、表示部１８は、コンテンツＣ１０の表示態様の変更に応じて選択された広告コンテンツＡＣ１０を表示する。
【０１２４】
これにより、実施形態に係る端末装置１０は、ユーザの種々の変更操作に応じて適切に広告コンテンツＡＣ１０を表示することができる。また、端末装置１０は、コンテンツＣ１０の表示態様の変化に応じて、適切に広告コンテンツＡＣ１０を表示することができるため、広告の効果を向上させることができる。
【０１２５】
また、実施形態に係る端末装置１０において、表示部１８は、取得後表示領域ＮＲ１１の大きさに応じて選択された広告コンテンツＡＣ１０を表示する。
【０１２６】
これにより、実施形態に係る端末装置１０は、取得後表示領域ＮＲ１１の大きさに応じて適切な広告コンテンツを表示することができるため、広告の効果を向上させることができる。また、端末装置１０は、例えば、取得後表示領域ＮＲ１１が、表示したい企業ロゴなどの広告コンテンツＡＣ１０を表示する十分な大きさがない場合、取得後表示領域ＮＲ１１の大きさに合わせて広告コンテンツＡＣ１０を縮小するか広告コンテンツＡＣ１０の一部のみを表示することになる。このような場合、広告コンテンツＡＣ１０の広告効果を向上させることは難しい場合は、広告コンテンツＡＣ１０を表示しなくてもよい。これにより、端末装置１０は、広告コンテンツＡＣ１０がユーザに認識されない態様で表示されることを抑制できる。また、ユーザの指が動的表示領域ＣＲ１２に僅かに触れた等、ユーザが意図しない操作が行われた場合に、広告コンテンツＡＣ１０が表示されることも抑制できる。
【０１２７】
また、実施形態に係る端末装置１０において、表示部１８は、広告コンテンツＡＣ１０が表示されている時間に応じて広告コンテンツＡＣ１０の提供主に請求する料金を算定する算定装置に、広告コンテンツＡＣ１０が表示されている時間に関する情報を送信する。
【０１２８】
これにより、実施形態に係る端末装置１０は、広告コンテンツが表示された時間に応じて広告主に課金するため、適切な課金となり、広告の効果を向上させることができる。
【０１２９】
また、実施形態に係る配信装置１００は、受付部１３１と、配信部１３２とを有する。受付部１３１は、端末装置１０に表示されたコンテンツＣ１０の表示態様の変化に応じてコンテンツＣ１０の未取得部分の取得要求を受け付ける。配信部１３２は、端末装置１０に表示されるコンテンツＣ１０を制御する制御情報を端末装置１０に配信し、受付部１３１によって取得要求が受け付けられた場合に、コンテンツＣ１０の未取得部分を配信する。また、実施形態に係る制御情報は、端末装置１０に表示されたコンテンツＣ１０の表示態様の変化が発生した時点から端末装置１０にコンテンツＣ１０の未取得部分が表示されるまでの間、端末装置１０におけるコンテンツＣ１０の未取得部分が表示される取得後表示領域ＮＲ１１に広告コンテンツＡＣ１０を表示させる表示手順を端末装置１００に実行させる。
【０１３０】
これにより、実施形態に係る配信装置１００は、端末装置１０に表示されたコンテンツの表示態様を変化させるために要する時間が短い場合であっても、端末装置１０に広告コンテンツＡＣ１０を表示することが可能となる。
【０１３１】
以上、本願の実施形態のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１３２】
また、上述してきた「部（section、module、unit）」は、「手段」や「回路」などに読み替えることができる。例えば、検知部は、検知手段や検知回路に読み替えることができる。
【符号の説明】
【０１３３】
１  配信システム
１０  端末装置
１２  検知部
１３  出力部
１４  記憶部
１５  制御部
１６  要求部
１７  取得部
１８  表示部
１００  配信装置
１２０  コンテンツ記憶部
１３０  制御部
１３１  受付部
１３２  配信部
【図１】
0006271383.tif 000002
【図２】
0006271383.tif 000003
【図３】
0006271383.tif 000004
【図４】
0006271383.tif 000005
【図５】
0006271383.tif 000006
【図６】
0006271383.tif 000007
【図７】
0006271383.tif 000008
【図８】
0006271383.tif 000009
【図９】
0006271383.tif 000010
【図１０】
0006271383.tif 000011
【図１１】
0006271383.tif 000012
【図１２】
0006271383.tif 000013